(57)【要約】【課題】地肌に応じて地肌除去を適切に行うことにより、文字データ、図表データ等の判読性を高めることができる画像読取装置を提供する。【解決手段】シェーディング補正前の原稿地肌濃度のピーク値を検出する原稿ピーク検出部７と、検出されたピーク値に基いて原稿地肌除去の補正演算を行い、デジタル画像データを正規化する地肌除去演算部８を備えた画像読取装置において、デジタル画像データのレベルによって、原稿地肌除去の補正演算を行うか否か切り替える制御を行う制御手段１１を備えた。【選択図】      図１
2005045466.tif 000002
【特許請求の範囲】
【請求項１】
シェーディング補正前の原稿地肌濃度のピーク値を検出する原稿ピーク検出部と、該検出されたピーク値に基いて原稿地肌除去の補正演算を行い、デジタル画像データを正規化する地肌除去演算部を備えた画像読取装置において、前記デジタル画像データのレベルによって、前記地肌除去演算部による原稿地肌除去の補正演算を行うか否か切り替える制御を行う制御手段を備えたことを特徴とする画像読取装置。
【請求項２】
シェーディング補正前の原稿地肌濃度のピーク値を検出する原稿ピーク検出部と、該検出されたピーク値に基いて原稿地肌除去の補正演算を行い、デジタル画像データを正規化する地肌除去演算部を備えた画像読取装置において、前記デジタル画像データのレベルによって、前記地肌除去演算部による原稿地肌除去の補正演算の係数を切り替える制御を行う制御手段を備えたことを特徴とする画像読取装置。
【請求項３】
請求項１または請求項２の画像読取装置において、切り替えの目安とする画像データの基準レベルを外部から設定可能であることを特徴とする画像読取装置。
【請求項４】
シェーディング補正前の原稿地肌濃度のピーク値を検出する原稿ピーク検出部と、該検出されたピーク値に基いて原稿地肌除去の補正演算を行い、デジタル画像データを正規化する地肌除去演算部を備えた画像読取装置において実行させるプログラムであって、前記デジタル画像データのレベルによって、前記地肌除去演算部による原稿地肌除去の補正演算を行うか否か切り替える制御を行う機能を実現させるためのプログラム。
【請求項５】
シェーディング補正前の原稿地肌濃度のピーク値を検出する原稿ピーク検出部と、該検出されたピーク値に基いて原稿地肌除去の補正演算を行い、デジタル画像データを正規化する地肌除去演算部を備えた画像読取装置において実行させるプログラムであって、前記デジタル画像データのレベルによって、前記地肌除去演算部による原稿地肌除去の補正演算の係数を切り替える制御を行う機能を実現させるためのプログラム。
【発明の詳細な説明】
【０００１】
【発明の属する技術分野】
本発明は、原稿の読み取りデータのピーク値を検出し、そのピーク値に応じて画像データを正規化することによって、画像の地肌を除去する画像読取装置に関するものである。
【０００２】
【従来の技術】
画像読取装置における画像の地肌除去に関連して特許文献１に記載の技術は、画像データに基づいて地肌除去量を決定するようにしたもので、更に、地肌除去したデータと除去しないデータとを選択的に出力するようにしている。但し、地肌除去機能はシェーディング補正より後段で行っている。
【特許文献１】特開平０７−２６４４０９号公報
【０００３】
【発明が解決しようとする課題】
デジタル複写機等で自動原稿地肌除去機能を使用するユーザーは、新聞紙の記事等、地肌のある原稿のコピーを取る際、理想的にはその地肌分のみを除去して、その他の部分の濃度は変わらないことを望んでいる。文字や図表部分の黒い部分（濃度の濃い部分）は濃いまま出力された方が、読みやすい、見やすい、良いコピー画像であると判断される（また地肌除去を使用する場合は文字、図表などが原稿として多いこともある）。
従来の画像読取装置の自動原稿地肌除去機能は原稿地肌レベルのピーク値を検出し、そのピーク値に応じて全画像データを正規化することによって、読み取った画像の地肌除去を行ってきた。しかしこれでは原稿上に存在する、文字部分、図表、絵柄部分等、一般に黒い部分（濃度の濃い部分）まですべて同じ、演算によって処理するため、当然それらの出力画像を薄くなってしまい、文字の大きさ等によっては、逆に読みづらくなってしまう（図２参照）。
本発明はこのような背景に鑑みてなされたものであって、地肌に応じて地肌除去を適切に行うことにより、文字データ、図表データ等の判読性を高めることができる画像読取装置を提供することを目的としている。
【０００４】
【課題を解決するための手段】
上記目的を達成するために、請求項１記載の発明は、シェーディング補正前の原稿地肌濃度のピーク値を検出する原稿ピーク検出部と、検出されたピーク値に基いて原稿地肌除去の補正演算を行い、デジタル画像データを正規化する地肌除去演算部を備えた画像読取装置において、デジタル画像データのレベルによって、地肌除去演算部による原稿地肌除去の補正演算を行うか否か切り替える制御を行う制御手段を備えた画像読取装置を最も主要な特徴とする。
請求項２記載の発明は、シェーディング補正前の原稿地肌濃度のピーク値を検出する原稿ピーク検出部と、検出されたピーク値に基いて原稿地肌除去の補正演算を行い、デジタル画像データを正規化する地肌除去演算部を備えた画像読取装置において、デジタル画像データのレベルによって、原稿地肌除去の補正演算の係数を切り替える制御を行う制御手段を備えた画像読取装置を最も主要な特徴とする。
請求項３記載の発明は、請求項１または請求項２の画像読取装置において、切り替えの目安とする画像データの基準レベルを外部から設定可能である画像読取装置を主要な特徴とする。
【０００５】
請求項４記載の発明は、シェーディング補正前の原稿地肌濃度のピーク値を検出する原稿ピーク検出部と、検出されたピーク値に基いて原稿地肌除去の補正演算を行い、デジタル画像データを正規化する地肌除去演算部を備えた画像読取装置において実行させるプログラムであって、デジタル画像データのレベルによって、地肌除去演算部による原稿地肌除去の補正演算を行うか否か切り替える制御を行う機能を実現させるためのプログラムを主要な特徴とする。
請求項５記載の発明は、シェーディング補正前の原稿地肌濃度のピーク値を検出する原稿ピーク検出部と、検出されたピーク値に基いて原稿地肌除去の補正演算を行い、デジタル画像データを正規化する地肌除去演算部を備えた画像読取装置において実行させるプログラムであって、デジタル画像データのレベルによって、地肌除去演算部による原稿地肌除去の補正演算の係数を切り替える制御を行う機能を実現させるためのプログラムを主要な特徴とする。
【０００６】
【発明の実施の形態】
以下、図面を参照して本発明の実施の形態を説明する。
図１は本発明の実施の形態に係る画像読取装置の機能ブロック図である。本画像読取装置は、図示する回路の他に、シェーディング補正を行うための基準白板と、原稿を載せるための原稿台を有し、原稿台の下を光源、ミラーが搭載されたキャリッジが副走査方向に移動することにより原稿を読み取ることができる。
以下、本画像読取装置の構成をその動作と併せて説明する。光源光が原稿に照射され、その反射光がミラー、集光レンズ、を介してＣＣＤ基板１上のＣＣＤ２に導かれてアナログ電気信号に変換される。この画像信号は、同じくＣＣＤ基板１上のアナログ信号処理部３、Ａ／Ｄ変換器４を介して画像処理基板５上のデジタル処理回路６に送られる。
デジタル処理回路６は、メモリ１２をワークに用いながら、内部に搭載したＲＯＭに格納されているプログラムを実行するＣＰＵ１１により制御される原稿ピーク検出部７、地肌除去演算部８、シェーディング補正部９、フィルタ処理回路・γ変換処理回路１０などのデジタル回路を有し、各種の画像処理を行って複写機の不図示の書き込み部に画像データを送る。デジタル処理回路６の原稿ピーク検出部７において、地肌除去演算を行うための原稿地肌ピークレベルを検出、保持し、その値を使って、地肌除去演算部８においてデジタル画像データを正規化する。
またシェーディング補正部９は、原稿の前に読み取られた基準白板の主走査方向の画素毎の読み取りデータを記憶し、その読み取りデータで原稿の読み取りデータを除算することにより、光源の主走査方向の照明むらやＣＣＤ２の画素毎の感度むらを補正する。ここで、一般に、原稿の地肌部の読み取りレベルは、その原稿の白に最も近いレベルであると考えられる。
従って、原稿の読み取りデータのピーク値を用いて画像データを正規化すれば、地肌部が白レベルと等価になるので、見かけ上地肌部の濃度情報がなくなり地肌を除去することができる。
ここで本発明では、デジタル画像データのレベルによって、原稿地肌除去の補正演算を行うか否か切り替える制御をＣＰＵ１１によって行う。
【０００７】
第１の実施例を説明する。原稿ピーク検出部７において読み取った画像データのピーク値（原稿地肌濃度のピーク値）を検出し、地肌除去演算部８において、デジタル画像信号（データ）が例として１６（／２５５）以上の場合は
（地肌飛ばし目標レベル）／（原稿ピークレベル）
を地肌除去用のゲインとして、デジタル画像信号Ｄに乗算する。つまり、地肌除去演算部８から得られる画像データＡＥ＿Ｄは、デジタル画像信号が１６（／２５５）以上の場合は
ＡＥ＿Ｄ＝Ｄ×（地肌飛ばし目標レベル／原稿ピークレベル）
デジタル画像信号が１６（／２５５）以下の場合は
ＡＥ＿Ｄ＝Ｄ
と、地肌除去演算部８に順次入力される画像データの値によって演算を変える。
上記の例では、ＣＰＵ１１は、原稿ピーク検出部７が検出した原稿地肌濃度のピーク値が１６（／２５５）以上か否か判定し、それ以上と判定すると、地肌除去演算部８に指示して前者の式により地肌除去を行わせ、それより小さいと判定すると、その演算部８に後者の式により地肌除去を回避させる。
今ここで例を挙げた１６／２５５以下のデジタル画像信号というのは、地肌除去モードで除去したい地肌として扱われない、十分濃度の高い画像データで、原稿上で文字、図表といった、いかにも高濃度な部分の画像データになりうるレベルとして設定した。またこの値（１６／２５５）を外部（操作部）からある範囲で自由に設定できるようにすることによって、地肌レベルはそのままで原稿上の文字、図表の読取濃度を調整することができる。
これによって原稿の地肌は必要に応じて除去しつつ、原稿上の文字、図表といった高濃度部分の濃度は十分な濃度を維持させることにより、ユーザーが見やすい読取画像データを得ることができる。
【０００８】
第２の実施例を説明する。デジタル画像信号が１６（／２５５）以下の場合は
ＡＥ＿Ｄ＝Ｄ×（地肌飛ばし目標レベル／原稿ピークレベル）×Ｘ（Ｘ≦１．０）
と１６（／２５５）以上の場合に対して、低い値を入力された画像データに乗算することによって、地肌除去読み取り時に高濃度部分の濃度を落とさない、ユーザーが見やすい読取画像データを得ることができる。
【０００９】
【発明の効果】
以上説明したように、請求項１或いは４の発明においては、ある一定のレベルに達していないデジタル画像データに関しては地肌除去演算を行わないので文字データ、図表データ等の判読性を高めることができる。
請求項２或いは５の発明においては、ある一定のレベルに達していないデジタル画像データに関しては演算係数を変えて、データの飛ばし量を抑えることによって、地肌を綺麗に飛ばしつつ、文字データ、図表データ等の判読性を高めることができる。
請求項３の発明においては、請求項１、２、４、或いは５の発明において判断基準となる一定のレベルを可変にすることで、高濃度域の画像データ再現性をユーザーの好みに合わせて調節できる。
【図面の簡単な説明】
【図１】本発明の実施の形態に係る画像読取装置の機能ブロック図である。
【図２】原稿反射率と読み取りデータの関係を示す特性図である。
【符号の説明】
７  原稿ピーク検出部
８  地肌除去演算部
１１  ＣＰＵ（制御手段）
【図１】
2005045466.tif 000003
【図２】
2005045466.tif 000004